(57)【要約】  【課題】子機と親機を備えた応対装置において、簡単な操作で来訪者の所持する携帯端末に記憶されている音楽データを、室内親機の呼出し音として使用可能な応対装置を提供する。【解決手段】ＣＰＵ２０１は、子機１０から送信される呼出しボタン信号を受信したかどうかが判断され、受信したと判断された場合、受信してからの経過時間を計測し、所定時間経過したかどうかが判断される。そしてさらに所定時間内に子機１０から音楽データを受信したかどうかが判断され、受信したと判断した場合、受信した音楽データを親機２０のスピーカ２１２から再生するよう出力をする。【選択図】図７
2010206444.tif 000002
【特許請求の範囲】
【請求項１】
室外に設置された子機と、前記子機に接続され、室内に設置された親機とを備えた応対装置であって、
前記子機は、
来訪者の来訪を検出する来訪者検出手段と、
前記来訪者検出手段により来訪者を検出した場合の情報である来訪者検出情報を前記親機へ送信する検出情報送信手段と、
音楽の情報である音楽情報が記憶されている端末装置から前記音楽情報を取得する音楽情報取得手段と、
前記音楽情報取得手段により取得された前記音楽情報を前記親機に送信する音楽情報送信手段とを備え、
前記親機は、
前記検出情報送信手段から送信される来訪者検出情報を受信する来訪者検出情報受信手段と、
前記音楽情報送信手段から送信された前記音楽情報を受信する音楽情報受信手段と、
前記来訪者検出情報受信手段により前記来訪者検出情報を受信してから所定時間以内に、前記音楽情報受信手段により前記音楽情報を受信した場合、前記音楽情報受信手段により受信した前記音楽情報を再生する音楽情報再生手段と、
を備えたことを特徴とする応対装置。
【請求項２】
前記親機は、前記子機と音声情報による通話を開始する為の操作手段である通話開始手段と、
前記通話開始手段により通話開始の操作がなされたか否かを検知する通話開始検知手段を備え、
前記音楽情報再生手段は、少なくとも前記通話開始検知手段により通話開始の操作を検知するまで、前記音楽情報受信手段により受信した前記音楽情報を再生することを特徴とする請求項１に記載の応対装置。
【請求項３】
前記音楽情報再生手段は、前記通話開始検知手段により通話開始の操作を検知した場合、前記音楽情報受信手段により受信した前記音楽情報の再生を中止することを特徴とする請求項２に記載の応対装置。
【請求項４】
前記親機は、音楽情報を記憶する音楽情報記憶手段を備え、
前記音楽情報再生手段は、前記来訪者検出情報受信手段により前記来訪者検出情報を受信してから所定時間以内に前記音楽情報受信手段により前記音楽情報を受信しなかった場合、前記音楽情報記憶手段に記憶されている所定の音楽情報を再生することを特徴とする請求項１乃至３のいずれかに記載の応対装置。
【請求項５】
コンピュータを、前記請求項１乃至４のいずれかに記載の応対装置における各手段として機能させるためのプログラム。
【請求項６】
室外に設置された子機と、前記子機に接続され、室内に設置された親機とを備えた応対装置での処理方法であって、
前記子機は、
来訪者の来訪を検出する来訪者検出ステップと、
前記来訪者検出ステップにより来訪者を検出した場合の情報である来訪者検出情報を前記親機へ送信する検出情報送信ステップと、
音楽の情報である音楽情報が記憶されている端末装置から前記音楽情報を取得する音楽情報取得ステップと、
前記音楽情報取得ステップにより取得された前記音楽情報を前記親機に送信する音楽情報送信ステップとを実行し、
前記親機は、
前記検出情報送信ステップから送信される来訪者検出情報を受信する来訪者検出情報受信ステップと、
前記音楽情報送信ステップにて送信された前記音楽情報を受信する音楽情報受信ステップと、
前記来訪者検出情報受信ステップにより前記来訪者検出情報を受信してから所定時間以内に、前記音楽情報受信ステップにより前記音楽情報を受信した場合、前記音楽情報受信ステップにより受信した前記音楽情報を再生する音楽情報再生ステップと、
を実行することを特徴とする応対装置での処理方法。
【発明の詳細な説明】
【技術分野】
【０００１】
本発明は、住居等に設置するに応対装置に関し、来訪者の所持する携帯端末に記憶されている音楽データを、室内に設置されている親機の呼出し音として使用を可能とする応対装置、コンピュータを応対装置における各手段として機能させるためのプログラム、及び応対処理方法に関する。
【背景技術】
【０００２】
従来、住宅の玄関等の室外に備えつけられている子機と、室内に備えられている親機とで、通信回線を介して、来訪者と室内で応対する応対者とが音声による通話で、応対することができるインターホンシステムが一般的に普及している。
【０００３】
また、来訪者の所持する携帯端末に記憶された認証データを子機で受信し、室内の親機に記憶されている認証データと照合して一致する場合は、来訪者の認証データに対応する予め記憶されている個別の呼出し音で呼び出すことができるインターホンシステム（特許文献１）も提案されている。
【先行技術文献】
【特許文献】
【０００４】
【特許文献１】特開２００３−２２４６６３号公報
【発明の概要】
【発明が解決しようとする課題】
【０００５】
しかしながら、上記特許文献１に記載のインターホンシステムでは、予め来訪者の所持する携帯端末に認証データを記憶させておかなくてはならず、また、室内の親機にも対応する認証データと音楽データを予め記憶しておかなくてはならないので、応対者は操作が煩わしいという課題があった。また、来訪者が呼出し音を変更したい場合でも、その都度、親機を所有する応対者に事前に音楽データを記憶してもらわねばならないので、非常に操作が煩わしいという問題もあった。
【０００６】
本発明は、上記問題点を解決するためになされたものであり、子機と親機を備えた応対装置において、簡単な操作で来訪者の所持する携帯電話に記憶されている音楽データを、室内親機の呼出し音として使用可能な応対装置を提供することを目的とする。
【課題を解決するための手段】
【０００７】
上記目的を達成するために、請求項１に係る発明の応対装置では、室外に設置された子機と、前記子機に接続され、室内に設置された親機とを備えた応対装置であって、前記子機は、来訪者の来訪を検出する来訪者検出手段と、前記来訪者検出手段により来訪者を検出した場合の情報である来訪者検出情報を前記親機へ送信する検出情報送信手段と、音楽の情報である音楽情報が記憶されている端末装置から前記音楽情報を取得する音楽情報取得手段と、前記音楽情報取得手段により取得された前記音楽情報を前記親機に送信する音楽情報送信手段とを備え、前記親機は、前記検出情報送信手段から送信される来訪者検出情報を受信する来訪者検出情報受信手段と、前記音楽情報送信手段から送信された前記音楽情報を受信する音楽情報受信手段と、前記来訪者検出情報受信手段により前記来訪者検出情報を受信してから所定時間以内に、前記音楽情報受信手段により前記音楽情報を受信した場合、前記音楽情報受信手段により受信した前記音楽情報を再生する音楽情報再生手段とを備えている。
【０００８】
請求項２に係る発明の応対装置では、請求項１に記載の発明の構成に加え、前記親機は、前記子機と音声情報による通話を開始する為の操作手段である通話開始手段と、前記通話開始手段により通話開始の操作がなされたか否かを検知する通話開始検知手段を備え、前記音楽情報再生手段は、少なくとも前記通話開始検知手段により通話開始の操作を検知するまで、前記音楽情報受信手段により受信した前記音楽情報を再生する。
【０００９】
請求項３に係る発明の応対装置では、請求項２に記載の発明の構成に加え、前記音楽情報再生手段は、前記通話開始検知手段により通話開始の操作を検知した場合、前記音楽情報受信手段により受信した前記音楽情報の再生を中止する。
【００１０】
請求項４に係る発明の応対装置では、請求項１乃至３に記載の発明の構成に加え、前記親機は、音楽情報を記憶する音楽情報記憶手段を備え、前記音楽情報再生手段は、前記来訪者検出情報受信手段により前記来訪者検出情報を受信してから所定時間以内に前記音楽情報受信手段により前記音楽情報を受信しなかった場合、前記音楽情報記憶手段に記憶されている所定の音楽情報を再生する。
【００１１】
請求項５に係る発明においては、コンピュータを、前記請求項１乃至４のいずれかに記載の応対装置における各手段として機能させるためのプログラムとする。
【００１２】
請求項６に係る応対装置では、室外に設置された子機と、前記子機に接続され、室内に設置された親機とを備えた応対装置での処理方法であって、前記子機は、来訪者の来訪を検出する来訪者検出ステップと、前記来訪者検出ステップにより来訪者を検出した場合の情報である来訪者検出情報を前記親機へ送信する検出情報送信ステップと、音楽の情報である音楽情報が記憶されている端末装置から前記音楽情報を取得する音楽情報取得ステップと、前記音楽情報取得ステップにより取得された前記音楽情報を前記親機に送信する音楽情報送信ステップとを実行し、前記親機は、前記検出情報送信ステップから送信される来訪者検出情報を受信する来訪者検出情報受信ステップと、前記音楽情報送信ステップにて送信された前記音楽情報を受信する音楽情報受信ステップと、前記来訪者検出情報受信ステップにより前記来訪者検出情報を受信してから所定時間以内に、前記音楽情報受信ステップにより前記音楽情報を受信した場合、前記音楽情報受信ステップにより受信した前記音楽情報を再生する音楽情報再生ステップとを実行する。
【発明の効果】
【００１３】
請求項１に係る発明の応対装置では、子機は来訪者の来訪を検出した場合、来訪者の検出情報である来訪者検出情報を親機へ送信する。また、子機は、音楽の情報である音楽情報が記憶されている端末装置から音楽情報を取得し、取得した前記音楽情報を前記親機に送信する。そして親機は来訪者検出情報を受信してから所定時間以内に、前記音楽情報を受信した場合、受信した前記音楽情報を再生する。よって、室内の応対者は、予め親機に音楽情報を記憶するという煩わしい操作を必要とすること無く、来訪者が所持する端末装置に記憶されている音楽情報を呼出し音として使用することができる。
【００１４】
請求項２に係る発明の応対装置では、請求項１に記載の発明の効果に加え、親機は、子機と音声情報による通話を開始する為の操作である通話開始の操作がなされたか否かを検知し、少なくとも通話開始の操作を検知するまで、受信した音楽情報を再生する。よって、室内の応対者は、少なくとも通話開始の操作を行うまでは、来訪者の端末装置から受信した音楽情報を呼出し音として使用することができる。
【００１５】
請求項３に係る発明の応対装置では、請求項２に記載の発明の効果に加え、親機は通話開始の操作を検知した場合、受信した前記音楽情報の再生を中止する。よって、応対者が通話を開始する時には、呼出し音の再生は中止されるので、応対者は呼出し音によって会話を邪魔されることなく適切な応対をすることができる。
【００１６】
請求項４に係る発明の応対装置では、請求項１乃至３に記載の発明の効果に加え、来訪者検出情報を受信してから所定時間以内に音楽情報を受信しなかった場合、音楽情報記憶手段に記憶されている所定の音楽情報を再生する。よって、来訪者が携帯端末を所持していない場合や、携帯端末から音楽情報を受信しない場合でも、応対者は予め設定された呼出し音で、来訪者の来訪を知ることができる。
【００１７】
請求項５に係る発明においては、コンピュータを、前記請求項１乃至４のいずれかに記載の応対装置における各手段として機能させる。よって、応対者は来訪者の所持した音楽情報を呼出し音として使用することができる。
【００１８】
請求項６に係る発明の応対装置の処理方法では、子機は来訪者の来訪を検出した場合、来訪者の検出情報である来訪者検出情報を親機へ送信する。また、子機は、音楽の情報である音楽情報が記憶されている端末装置から音楽情報を取得し、取得した前記音楽情報を前記親機に送信する。そして親機は来訪者検出情報を受信してから所定時間以内に、前記音楽情報を受信した場合、受信した前記音楽情報を再生する。よって、室内の応対者は、予め親機に音楽情報を記憶するという煩わしい操作を必要とすること無く、来訪者が所持する端末装置に記憶されている音楽情報を呼出し音として使用することができる。
【図面の簡単な説明】
【００１９】
【図１】子機１０および親機２０を備えた応対装置１の電気的構成を示すブロック図である。
【図２】携帯端末４０電気的構成を示すブロック図である。
【図３】子機１０の外観図である。
【図４】親機２０の外観図である。
【図５】親機２０のフラッシュＲＯＭ２２０が有する記憶エリアの説明図である。
【図６】音楽情報１２１０の説明図である。
【図７】親機２０のメイン処理のフローチャートである。
【符号の説明】
【００２０】
１      応対装置１
１０    子機
１１１  マイク
１１２  スピーカ
１１３  呼出しボタン
１１４  音楽データ受信手段
１１５  カメラ
１５０  第１通信装置
４１３  音楽データ送信手段
２０    親機
２１１  マイク
２１２  スピーカ
２１３  表示モニタ
２１４  通話ボタン
２２０  フラッシュＲＯＭ
２５０  第２通信装置
【発明を実施するための形態】
【００２１】
以下、本発明を具体化した応対装置１の実施の形態について、図面を参照して説明する。なお、これらの図面は、本発明が採用しうる技術的特徴を説明するために用いられるものであり、記載されている装置の構成、各種処理のフローチャートなどは、それのみに限定する趣旨ではなく、単なる説明例である。
【００２２】
まず、図１〜図５を参照して、本実施形態に係る応対装置１の全体構成、ならびに、応対装置１の構成要素である子機１０、親機２０、および来訪者が所持する携帯電話４０の構成について、順に説明する。
【００２３】
図１を参照して、応対装置１の概略構成について説明する。本実施形態の応対装置１は、図１に示すように、信号線３０を介して接続された子機１０および親機２０で構成されている。住宅、会社、ビル等において、子機１０は室外に設置され、親機２０は、室内に設置される。来訪者が子機１０の呼出しボタン１１３を押すと、親機２０のスピーカ２１２から呼出し音が出力され、室内に居る者（以下、対応者という）に来訪を通知する。また、呼出し音による通知後、応対者が親機２０の通話ボタン２１４を押すことにより、子機１０と親機２０との間で通話が可能になり、応対者は、入口を開けることなく室外の来訪者に応対することができる。
【００２４】
まず、図３を参照して、子機１０の物理的構成について説明する。図３に示すように、子機１０は、略直方体形状の筐体１０５を備えており、筐体の正面（来訪者に対向する面）には、マイク１１１、スピーカ１１２、呼出ボタン１１３、音楽データ受信手段１１４、カメラ１１５が設けられている。
【００２５】
次に図１を参照して、子機１０の電気的構成について説明する。図１に示すように、子機１０は、ＣＰＵ１０１、ＲＯＭ１０２、ＲＡＭ１０３、マイク１１１、スピーカ１１２、呼出ボタン１１３、音楽データ受信手段１１４、カメラ１１５、および第１通信装置１５０を備えており、これらはすべてバスで相互に接続されている。
【００２６】
ＣＰＵ１０１は、子機１０全体の制御を司る。ＲＯＭ１０２は、子機１０の基本的な動作に必要なプログラムやそのための設定値を記憶している。ＣＰＵ１０１は、ＲＯＭ１０２に記憶されたプログラムに従って、子機１０の動作を制御する。ＲＡＭ１０３は、各種データを一時的に記憶するための記憶装置である。
【００２７】
マイク１１１は、入力された来訪者の音声を音声信号に変換し、第１通信装置１５０を介して親機２０に出力するための機器である。スピーカ１１２は、親機２０から受信した音声信号を、音声に変換して出力する機器である。呼出ボタン１１３は、来訪者が室内の対応者を呼び出すためのボタンである。呼出ボタン１１３が押下げられると、呼出し信号が第１通信装置１５０を介して親機２０に送信される。音楽データ受信手段１１４は、後述する携帯端末４０に記憶されている音楽データを、音楽データ送信手段４１３から受信するための受信機器である。ここでの通信技術は、例えば汎用的通信装置として使用されているＩｒＤＡ、ＢｌｕｅＴｏｏｔｈ等の無線通信技術を用いれば良い。カメラ１１５は、呼出しボタン１１３が押下されると、来訪者の画像を撮影する撮影機器であり、撮影された画像を親機２０へ送信する。
【００２８】
次に、図４を参照して親機２０の物理的構成について説明する。図４に示すように、親機２０は、略直方体形状の筐体２０５を備えている。筐体の正面には、マイク２１１、スピーカ２１２、表示モニタ２１３、及び通話ボタン２１４が設けられている。
通話ボタン２１４は、室内の応対者が、子機に対面している来訪者と通話可能状態にする場合に押すボタンである。マイク２１１は、室内の応対者の音声を、音声信号に変換し、第１通信装置２５０を介して子機１０に出力するための機器である。スピーカ２１２は、子機１０から受信した音声信号を、音声に変換して出力する機器である。表示モニタ２１３は子機１０のカメラ１１５にて撮影された来訪者の画像を表示し、また、各種表示情報等が表示される機器である。
【００２９】
次に図１を参照にして、親機２０の電気的構成について説明する。図１に示すように、親機２０においてマイク２１１、スピーカ２１２、表示モニタ２１３、通話ボタン２１４は、ＣＰＵ２０１、ＲＯＭ２０２、ＲＡＭ２０３、フラッシュＲＯＭ２２０、第２通信装置２５０とバスで相互に接続されている。
【００３０】
ＣＰＵ２０１は、親機２０全体の制御を司る。ＲＯＭ２０２は、後述するメイン処理を含む各種処理を親機２０に実行させるために必要なプログラムや、そのための設定値を記憶している。ＣＰＵ２０１は、ＲＯＭ２０２に記憶されたプログラムに従って、親機２０の動作を制御する。ＲＡＭ２０３は、各種データを一時的に記憶するための記憶装置である。フラッシュＲＯＭ２２０は、不揮発性の半導体メモリである。第２通信装置２５０は、子機１０との間で、信号線３０を介して、制御信号、音声信号、画像信号、及び音楽データなどの各種情報の送受信を行う装置である。
【００３１】
次に図５〜６を参照して、フラッシュＲＯＭ２２０について説明する。まず、図５に示すように、フラッシュＲＯＭ２２０は、音楽情報記憶エリア２２１、表示画面記憶エリア２２２を含む複数の記憶エリアで構成されている。図５に示す表示画面記憶エリア２２２には、親機２０の表示モニタ２１３に表示させる画面のテンプレートが記憶されている。本実施形態では、例えば図４に示す様に、表示モニタ２１３に、室内の応対者が呼出し音を設定するための表示画面２１５と、呼出し音選択画面２１６等が表示される。室内の応対者は、呼出し音の選択画面をタッチして、所望の呼出し音を設定できるようになっている。
【００３２】
次に図６を参照して、フラッシュＲＯＭ２２０の音楽情報記憶エリア２２１に記憶されている音楽情報１２１０について説明する。音楽情報１２１０には、音楽データと、その音楽データに関する曲名情報が、音楽ＩＤと対応付けられて記憶されている。音楽ＩＤ欄には、各音楽データを識別するための固有情報であるＩＤが記憶される。曲名欄には、各音楽データに関する曲名情報が記憶されている。音楽データ欄には、親機２０の呼出し音として使用される音楽のデータが、例えば汎用的なＭＰ３、ＷＡＶ形式等で記憶されている。詳細は後述するが、音楽情報１２１０に記憶されている音楽データは、子機にて来訪者が所持する携帯端末から音楽データを受信しなかった場合に、親機にて呼出し音として再生される音楽データである。これらの音楽データ取得方法は、詳細説明は省略するが、製品製造時に親機２０に記憶してもよいし、親機２０の通信手段を用いて他の記憶手段から音楽データを取得して記憶できるようにしてもよい。
【００３３】
続いて、図３を参照して携帯端末４０の物理的構成について説明する。携帯端末４０は略直方体形状の筐体を備えている。筐体の正面には、図示は省略するがマイク４１１、スピーカ４１２、及び電話通信装置４５０（図２参照）が設けられている。また、音楽データ送信手段４１３が筐体の端部に備えられている。マイク４１１、スピーカ４１２は、電話通信装置４５０により電話回線を介して接続された他の端末装置と音声信号による通話を行うための手段である。音楽データ送信手段４１３は、詳細は後述するが、子機１０へ音楽データを送信するための機器である。
【００３４】
次に図２を参照にして、携帯端末４０の電気的構成について説明する。マイク４１１、スピーカ４１２、音楽データ送信手段４１３は、ＣＰＵ４０１、ＲＯＭ４０２、ＲＡＭ４０３、フラッシュＲＯＭ４０４、電話通信装置４５０とバスで相互に接続されている。ＣＰＵ４０１は、端末装置４０全体の制御を司る。ＲＯＭ４０２は、各種処理を携帯端末４０に実行させるために必要なプログラムや、そのための設定値を記憶している。ＣＰＵ４０１は、ＲＯＭ４０２に記憶されたプログラムに従って、携帯端末４０の動作を制御する。ＲＡＭ４０３は、各種データを一時的に記憶するための記憶装置である。フラッシュＲＯＭ４０４は、不揮発性の半導体メモリであり、音楽データなどの各種データを記憶する。電話通信装置４５０は、他の携帯端末との間で、電話回線を介して音声信号などの情報の送受信を行う装置である。
【００３５】
音楽データ送信手段４１３は、フラッシュＲＯＭ４０４に記憶されている音楽データを、子機１０へ送信するための機能を備える。ここでの通信技術は、例えば汎用的に使用されているＩｒＤＡとか、ＢｌｕｅＴｏｏｔｈ等の通信技術が用いられるが、通信ケーブル等により直接接続して音楽データを子機１０へ送信できるようにしても良い。
【００３６】
以下に、図７を参照して、応対装置１の親機２０において実行される処理について説明する。図７は、親機２０のメイン処理のフローチャートである。図７に示す処理は、ＲＯＭ２０２に記憶されたプログラムに従って、ＣＰＵ２０１が実行する。
【００３７】
図７に示すメイン処理は、親機２０の電源がＯＮにされると開始される。まず、ＣＰＵ２０１は、子機１０から送信される呼出しボタン信号を受信したかどうかが判断される（Ｓ１１）。ここで言う呼出しボタン信号とは、来訪者により子機１０に備えられた呼出しボタン１１３が押されると、親機２０へ送信される信号のことである。ステップＳ１１にて呼出し信号を受信していないと判断された場合（Ｓ１１：ＮＯ）、呼出し信号を受信するまで待機状態となる。また、ステップＳ１１で呼出し信号を受信したと判断された場合（Ｓ１１：ＹＥＳ）、ＣＰＵ２０１は呼出し信号を受信してからの経過時間を計測し、所定時間経過したかどうかが判断される（Ｓ１２）。ここでの所定時間は、来訪者により子機１０の呼出しボタンを押されてから、携帯端末を操作して次ステップでの音楽データを送信するまでに必要な時間に設定されているものとすれば良く、例えば２秒〜１０秒程度が適している。
【００３８】
次にステップＳ１２で所定時間経過していないと判断された場合（Ｓ１２：ＮＯ）、ＣＰＵ２０１により子機１０から音楽データを受信したかどうかが判断される（Ｓ１３）。すなわち、来訪者が所持している携帯端末４０のフラッシュＲＯＭ４０４に記憶されている音楽データが、音楽データ送信手段４１３を介して子機１０の音楽データ受信手段１１４にて受信され、さらに子機１０の第１通信手段を介して、親機２０の第２通信手段にて受信されたかどうかが判断されている。ステップＳ１３にて音楽データを受信していないと判断された場合（Ｓ１３：ＮＯ）は、ステップＳ１２へ戻り繰り返し処理が行われる。
【００３９】
そして、ステップＳ１３にてＣＰＵ２０１が音楽データを受信したと判断した場合（Ｓ１３：ＹＥＳ）、受信した音楽データを親機２０のＲＡＭ２０３に一時的に記憶し、記憶された音楽データをスピーカ２１２から再生するよう出力をする（Ｓ１５）。よって、親機２０では、来訪者から送信された音楽データを、予め親機２０に記憶させていなくても、呼出し音として再生することができる。
【００４０】
また、ステップＳ１２で所定時間が経過したと判断された場合は（Ｓ１２：ＹＥＳ）、親機２０のフラッシュＲＯＭ２２０に記憶されている音楽情報１２１０から、予め設定されている音楽データを取得し（Ｓ１４）、次ステップのＳ１５にて親機２０のスピーカ１１２から再生するよう出力する。よって、来訪者により子機１０の呼出しボタンを押されてから所定時間が経過した場合は、音楽データの送信が無かったと判断され、親機２０は、予め記憶設定された音楽データを呼出し音として再生することができる。
【００４１】
続いて、ＣＰＵ２０１は、親機２０の通話ボタン２１４から通話ボタン信号を受信したかどうかが判断される（Ｓ１６）。ここでの通話ボタン信号とは、ＣＰＵ２０１が親機２０の通話ボタン２１４が応対者により押されたことを検知すると発信される信号であり、この通話ボタン信号を受信すると、ＣＰＵ２０１は、親機２０と子機１０とを通話可能状態とする。ステップＳ１６にて、ＣＰＵ２０１は通話ボタン信号を受信したと判断すると、呼出し音として再生されていた音楽データの出力を停止する（Ｓ１８）。また、ステップＳ１６で通話ボタン信号を受信していないと判断された場合（Ｓ１６：ＮＯ）は、ステップＳ１５の音楽データを出力してから所定時間経過したかどうかが判断され（Ｓ１７）、経過していないと判断されると（Ｓ１７：ＮＯ）、ステップＳ１６へ戻る。また、ステップＳ１７で所定時間が経過したと判断された場合（Ｓ１７）は、呼出し音として再生されていた音楽データの出力を停止する（Ｓ１８）。したがって、ステップＳ１５で呼出し音として再生されている音楽データは、室内応対者が来訪者と応対をする為に通話ボタン２１４を押した時、または、室内応対者が不在等の理由により、通話ボタン２１４が所定時間以上押されなかったと判断された時に、再生が停止される。
【００４２】
そして次に、ＣＰＵ２０１は、通話ボタン信号を再度受信したかどうかを判断し（Ｓ１９）、受信したと判断された場合（Ｓ１９：ＹＥＳ）は、メイン処理を終了する。また、ステップＳ１９にて、通話ボタン信号を受信していないと判断された場合（Ｓ１９：ＮＯ）は、ステップＳ１９へ戻り繰り返し処理が継続され、さらにステップＳ１８の音楽データが出力停止してから所定時間経過しても通話ボタン信号を受信しなかった場合は、メイン処理を終了させる。よって、室内の応対者が来訪者との応対を終えて、通話ボタン２１４を再度押さずに親機２０から離れてしまっても、所定時間経過したら親機２０はメイン処理を終了させることができる。
【００４３】
本実施形態では、子機１０の呼出しボタン１１３が、本発明の「来訪者検出手段」の相当し、音楽情報データ受信手段１１４が「音楽情報取得手段」、第１通信装置１５０が「検出情報送信手段」、「音楽情報送信手段」に相当する。
【００４４】
また、親機２０の第２通信装置２５０が「来訪者検出情報受信手段」、「音楽情報受信手段」に相当し、ＣＰＵ２０１が「音楽情報再生手段」、「通話開始検知手段」に、通話ボタン２１４が「通話開始手段」相当し、フラッシュＲＯＭ２２０が「音楽情報記憶手段」に相当する。
【００４５】
なお、前述の実施形態に示される構成や処理は例示であり、各種の変形が可能なことはいうまでもない。例えば、前述の実施形態では、図７のステップＳ１８にて、音楽データの出力を停止しているが、音量を小さくするような音量制御を行い、音楽データの出力を継続させても良い。
【００４６】
また、図２に記載の携帯端末には、電話通信装置を備えているが、電話通信装置を備えていない音楽プレーヤや、モバイルＰＣ等の携帯端末でも良いことは言うまでもない。
【図１】
2010206444.tif 000003
【図２】
2010206444.tif 000004
【図３】
2010206444.tif 000005
【図４】
2010206444.tif 000006
【図５】
2010206444.tif 000007
【図６】
2010206444.tif 000008
【図７】
2010206444.tif 000009